(57)【要約】【課題】引下線用コネクタの締め付けボルトをトルクラチェットレンチで締め込む際に、引下線用コネクタが共に回転することがなく把持できる引下線用コネクタ把持工具を提供する。【解決手段】引下線用コネクタ把持工具１は、絶縁操作棒９０ｂを回転させる操作によって雄ネジ材５４が回転し、可動部３０に向かって雄ネジ材５４が送り出されることで雄ネジ材５４の端部が可動部３０の押圧面３２を押し、可動部３０の可動側把持面３１が、固定部２０に形成された固定片２２の固定側把持面２３に接近し、引下線用コネクタの被把持片を可動側把持面３１と固定側把持面２３とで挟み込むことで把持する。【選択図】  図１
2020178395.tif 000002
【特許請求の範囲】
【請求項１】
間接活線作業に用いられ、絶縁操作棒の先端に取り付けて使用する、電柱間に架設される高圧線と高圧線から分岐する引下線とを接続する引下線用コネクタに備えられた平板形状の被把持片を把持するための引下線用コネクタ把持工具であって、
前記絶縁操作棒に取り付け可能な本体に固定側把持部が形成された固定部と、
可動側把持部と押圧部を有し、前記押圧部を押すと前記可動側把持部が前記固定側把持部に対向して接近していくように前記固定部に回動自在に支持された可動部と、
前記固定部に貫通して形成された雌ネジ孔に、前記絶縁操作棒に取り付け可能な雄ネジ材が螺合されて貫通して配置される送りネジ部と、を備え、
前記雄ネジ材に接続した前記絶縁操作棒を軸心周りに回転させて前記雄ネジ材で前記押圧部を押すことで前記可動側把持部が前記固定側把持部に対向して接近し前記被把持片を把持する、
ことを特徴とする引下線用コネクタ把持工具。
【請求項２】
前記固定側把持面には、口幅の両端側に所定の間隔で配置された一対のガイド材が口幅の垂直方向にわたって突出形成されている、
ことを特徴とする請求項１に記載の引下線用コネクタ把持工具。
【請求項３】
前記可動部には前記可動側把持面が前記固定側把持面から離れる方向に付勢が付けられている、
ことを特徴とする請求項１または２に記載の引下線用コネクタ把持工具。
【請求項４】
前記固定片の開口側端面に突起部が突出して形成され、前記突起部は前記引下線用コネクタのコネクタ本体に当接させて把持したとき、前記被把持片が所定の範囲で把持される寸法に形成されている、
ことを特徴とする請求項１から３のいずれか１項に記載の引下線用コネクタ把持工具。
【発明の詳細な説明】
【技術分野】
【０００１】
この発明は、間接活線作業における配電線への引下線用コネクタの着脱に際し、引下線用コネクタを把持する引下線用コネクタ把持工具に関する。
【背景技術】
【０００２】
電柱間に架設された高圧線に引下線を取り付けて、この引下線を変圧器等に取り込む工事において、引下線と高圧線との接続には、引下線と高圧線とを電気的に接続できるように構成された引下線用コネクタが使用される。
【０００３】
引下線と高圧線の接続に使用する引下線用コネクタについて、図８に沿って説明する。引下線用コネクタ６は主として、一対のコネクタ本体６１、６１と、被把持片６２と、締め付けボルト６３と、弾性材６４とを備える。
【０００４】
コネクタ本体６１、６１は、平板形状のアルミニウムからなる。互いが向き合う面に高圧線７０を収納する空間と引下線８０を収納する空間が形成されており、高圧線７０および引下線８０を対になって挟持する。被把持片６２は一方のコネクタ本体６１から平板形状に延びて形成され、高圧線７０と引下線８０の接続作業の際にヤットコ等によって把持される部分である。もう一方の被把持片６２が形成されないコネクタ本体６１の下部には、被把持片６２が伸びる方向に略直交する面（コネクタ本体下部６７）が形成されている。また、被把持片６２にはヤットコ等で把持した際にヤットコ等の把持面に形成された凹凸と噛みあうように形成された、刻み目６６が連続して形成されていて、ヤットコ等で把持した際にずれにくいようになっている。締め付けボルト６３は、コネクタ本体６１、６１に形成されたネジ孔に螺合され、締め付けボルト６３を締め付けることで一対のコネクタ本体６１、６１の間の高圧線７０および引下線８０を収納する空間が狭まり、高圧線７０および引下線８０を挟持して接続する。弾性材６４は略Ｃ字形状に成型された弾性を有する棒状の針金で、被把持片６２の端部付近に空けられた貫通孔６５に挿通され両端がコネクタ本体６１、６１にそれぞれ当接し、コネクタ本体６１、６１が互いに近づく方向に付勢を与えている。
【０００５】
ところで、このような引下線用コネクタ６によって高圧線７０と引下線８０を接続する場合は、絶縁操作棒による間接活線作業で行われる。作業員が、高所作業車のバケット等から、絶縁操作棒の先端に取り付けたヤットコ等の把持工具を操作し、直接高圧線７０や引下線用コネクタ６に触れずに作業をする。
【０００６】
図９に示すように、従来の引下線用コネクタ６を高圧線７０に接続する際の作業には、主として、ヤットコＰと、トングＴと、クイックＱと、トルクラチェットレンチＲとの４種類の工具が使用される。ヤットコＰは絶縁操作棒の先端に取り付けられ、絶縁操作棒の手元側に配設された開閉レバーを操作することでリンク機構を介して先端が開閉する把持工具である（例えば特許文献１および２参照）。
【０００７】
トングＴは絶縁操作棒の先端に取り付けられ、絶縁操作棒を軸周りに回転させることによって配電線の把持および解除を行う工具である。クイックＱは、いわゆるクイック型ヤットコと呼ばれ、絶縁操作棒の先端に取り付けられ、配電線のように略円形の断面を有する把持対象物を素早く簡易に把持することに特化しているヤットコ型の把持工具ある。トルクラチェットレンチＲは、口径部にラチェット機構が組み込まれ、絶縁操作棒９０を上下に操作することで、締め込みボルトを締め付けたり緩めたりできるようになっている。また、予め既定の締め付けトルクを設定しておき、既定の締め付けトルクに達すると、音と感触で締め付けトルクに達したことが分かるようになっている。
【０００８】
従来の作業は、これら４種類の工具を使用して、まずヤットコＰで引下線用コネクタ６の被把持片をつかんで把持すると共に、引下線８０を接続した側の高圧線７０と引下線８０をトングＴで把持する。次に締め付けボルトを締め付けた時に高圧線７０や引下線８０が曲がらないように引下線用コネクタ６に向かって右側の高圧線７０をクイックＱで把持する。そして、ヤットコＰで引下線用コネクタ６を把持したまま、トルクラチェットレンチＲの口径部を引下線用コネクタ６の締め付けボルトに嵌め合わせ、トルクラチェットレンチＲに取り付けられた絶縁操作棒９０を軸心方向に上下に操作することで、引下線用コネクタ６の締め付けボルトを締め付けて引下線用コネクタ６を取り付けていた。
【先行技術文献】
【特許文献】
【０００９】
【特許文献１】特開２０１８−１１０４９０号公報
【特許文献２】特開２０１６−１２９４５３号公報
【発明の概要】
【発明が解決しようとする課題】
【００１０】
しかしながら、従来の作業は図９に示すように、４種類の工具の操作を絶縁操作棒９０によって行わなければならず、作業者には高い技術が求められていた。また、従来のように開閉レバーによってリンク機構を介して開閉されるヤットコでは把持力が弱く、トルクラチェットレンチＲで締め付けボルトを規定のトルクで締め付けた際に、締め付けボルトと共に引下線用コネクタ６も回転し、引下線用コネクタ６に接続された高圧線７０が接続個所で大きく湾曲したり、高圧線７０や引下線８０が引下線用コネクタ６の嵌合部から導線部分がはみ出したりすることが起こっていた。このような事態は、高圧線７０や引下線８０にダメージを与えてしまうため好ましくない。従来では、高圧線７０や引下線８０にダメージを与えることなく引下線用コネクタ６を接続するには熟練を要し、作業者に多くの負担がかかり、作業に時間を要してしまううえに、作業者の技術によって引下線用コネクタの取り付け品質にバラつきが生じていた。
【００１１】
そこでこの発明は、引下線用コネクタを強固に把持して、引下線用コネクタの締め付けボルトをトルクラチェットレンチで締めこんでも、引下線用コネクタが共に回転することのない引下線用コネクタ把持工具を提供することを目的とする。
【課題を解決するための手段】
【００１２】
上記課題を解決するために、請求項１の発明は、間接活線作業に用いられ、絶縁操作棒の先端に取り付けて使用する、電柱間に架設される高圧線と高圧線から分岐する引下線とを接続する引下線用コネクタに備えられた平板形状の被把持片を把持するための引下線用コネクタ把持工具であって、前記絶縁操作棒に取り付け可能な本体に固定側把持部が形成された固定部と、可動側把持部と押圧部を有し、前記押圧部を押すと前記可動側把持部が前記固定側把持部に対向して接近していくように前記固定部に回動自在に支持された可動部と、前記固定部に貫通して形成された雌ネジ孔に、前記絶縁操作棒に取り付け可能な雄ネジ材が螺合されて貫通して配置される送りネジ部と、を備え、前記雄ネジ材に接続した前記絶縁操作棒を軸心周りに回転させて前記雄ネジ材で前記押圧部を押すことで前記可動側把持部が前記固定側把持部に対向して接近し前記被把持片を把持することを特徴とする。
【００１３】
この発明によれば、絶縁操作棒を回転させる操作によって雄ネジ材が回転し、可動部に向かって雄ネジ材の端部が送り出されることで可動部の押圧部を押し、可動部の可動側把持部が、固定部に形成された固定側把持部に接近し、引下線用コネクタの被把持片を可動側把持部と固定側把持部とで挟み込むことで把持する。
【００１４】
請求項２に記載の発明は、請求項１に記載の引下線用コネクタ把持工具において、前記固定側把持面には、口幅の両端側に所定の間隔で配置された一対のガイド材が口幅の垂直方向にわたって突出形成されていることを特徴とする。
【００１５】
請求項３に記載の発明は、請求項１または２に記載の引下線用コネクタ把持工具において、前記可動部には前記可動側把持面が前記固定側把持面から離れる方向に付勢が付けられていることを特徴とする。
【００１６】
請求項４に記載の発明は、請求項１から３のいずれか１項に記載の引下線用コネクタ把持工具において、前記固定片の開口側端面に突起部が突出して形成され、前記突起部は前記引下線用コネクタのコネクタ本体に当接させて把持したとき、前記被把持片が所定の範囲で把持される寸法に形成されていることを特徴とする。
【発明の効果】
【００１７】
請求項１の発明によれば、可動部の押圧面を、雄ネジ材によって押すことで、可動側把持面が被把持片を固定側把持面に強固な力で押さえつけて把持することができる。そのことによって引下線用コネクタの締め付けボルトをトルクラチェットレンチで締めこんでも、引下線用コネクタが共に回転することを防ぐことができ、高圧線や引下線に負担をかけずに、引下線用コネクタの締め付けボルトを適正トルクで締め付けることが可能となる。さらには、高圧線に負担をかけずに締め付けボルトを締め付けることができるので、従来の作業で高圧線が曲がらないように把持していたクイックが不要になり、結果として作業に使用する工具を減らすことができ、作業の効率化・迅速化を図ることができる。
【００１８】
請求項２の発明によれば、引下線用コネクタの締め付けボルトを締め付けた際に、把持面がずれた場合でも、被把持片の側面が固定側把持面に突出したガイド材に当接するので、より確実に引下線用コネクタが回転するのを防ぐことができる。
【００１９】
請求項３の発明によれば、可動部に前記可動側把持面が前記固定側把持面から離れる方向に付勢が付けられていることで、押圧面に押される力がかけられていないときに、可動部が閉じた位置で留まることがなく、作業効率が向上する。
【００２０】
請求項４の発明によれば、突起部が引下線用コネクタのコネクタ本体に当接したときに、被把持片を挟み込んで把持する十分の範囲を挟み込むことでより確実に被把持片６２を把持することができ、また、引下線用コネクタの弾性材等他の部材を挟み込まない位置で把持することができるので、引下線用コネクタの弾性材等を挟み込んで損傷させることを防ぐことができる。
【図面の簡単な説明】
【００２１】
【図１】この発明に係る引下線用コネクタ把持工具の側面図であり、（ａ）は可動顎が閉じた状態、（ｂ）は可動顎が開いた状態を示す。
【図２】引下線用コネクタ把持工具の正面図である。
【図３】引下線用コネクタ把持工具の背面図である。
【図４】（ａ）が引下線用コネクタ把持工具の平面図であり、（ｂ）が図２のＡ−Ａ断面図である。
【図５】引下線用コネクタ把持工具の固定片を説明する図であり、（ａ）が側面拡大図、（ｂ）が正面拡大図、（ｃ）が背面拡大図、（ｄ）が平面拡大図、（ｅ）が（ｂ）のＢ−Ｂ断面図である。
【図６】引下線用コネクタ把持工具を使用した、引下線用コネクタの接続作業を説明する図である
【図７】引下線用コネクタ把持工具に取り付ける絶縁操作棒を示す図である。
【図８】引下線用コネクタを示す図であり（ａ）が引下線用コネクタの正面図であり、（ｂ）が引下線用コネクタの側面図である。
【図９】従来の引下線用コネクタの接続作業を説明する図である。
【発明を実施するための形態】
【００２２】
この発明の実施の形態について図面を用いて詳しく説明する。
【００２３】
この実施の形態の引下線用コネクタ把持工具は、図６で示すように、電柱間に架設される高圧線７０と高圧線７０から分岐する引下線８０とを引下線用コネクタ６によって接続するときに使用する間接活線作業用の把持工具である。
【００２４】
また、引下線用コネクタ把持工具１は絶縁操作棒９０に取り付けて使用されるものである。
【００２５】
絶縁操作棒９０は図７に示すように、操作棒本体９１と、押圧部９２と、連結部９４と、固定用ネジ９５と、保護ツバ９６とを備える。操作棒本体９１は長尺の棒であり、例えばＦＲＰ（繊維強化プラスチック）で構成されている。押圧部９２は軸方向に延びて形成され、上部は雄ネジ９３になっている。雄ネジ９３には固定用ネジ９５が螺合されている。固定用ネジ９５は、雄ネジ９３に回動自在に螺合されており、操作棒本体９１の連結部９４に装着された先端工具を連結部９４との係合方向に押圧する機能を有している。固定用ネジ９５は、筒状に形成されており、内面側に雄ネジ９３と螺合する雌ネジ（図示略）が形成されている。
【００２６】
連結部９４は、嵌合部９４ａと、係突起９４ｂと、付勢部９４ｃとを有している。嵌合部９４ａは、円柱状に形成されており、雄ネジ９３の上端に連結されている。係突起９４ｂは、軸心を中心として左右にそれぞれ設けられており、嵌合部９４ａの外面から外方に突出している。付勢部９４ｃは円柱状に形成され、嵌合部９４ａの上面に設けられている。付勢部９４ｃは、嵌合部９４ａの上面に進退自在に配置されており、嵌合部９４ａ内に収納されたバネ（図示略）によって先端方向に付勢されている。絶縁操作棒９０は、連結部９４を先端工具の取り付け個所に挿入嵌合して、固定用ネジ９５によって先端工具を押圧することで、連結部９４の係突起９４ｂを先端工具に形成された鉤状の係合溝に係合し、先端工具を取り付けるものである。本実施の形態の引下線用コネクタ把持工具１はこのような絶縁操作棒９０に取り付けられて使用されるものである。
【００２７】
本実施の形態の引下線用コネクタ把持工具１は、図１に示すように、主として固定部２０と、可動部３０と、送りネジ部５０を備える。
【００２８】
固定部２０は主として鋼材で形成される。固定部２０は本体２１と、本体２１に突出して形成される板状の固定片２２とを有する。
【００２９】
本体２１は、円柱形状の天面が突出した形状であって、天面側から、本体２１のほぼ中心線上に、平板形状の固定片２２が本体２１の直径よりやや大きい幅で突出して形成されている。突出寸法は被把持片６２の突出寸法よりやや大きく形成される。
【００３０】
固定片２２の一方の面には固定側把持面２３が形成されている。固定側把持面２３は、被把持片６２を把持するときに当接させる面である。図５（ｃ）、（ｄ）、（ｅ）に示すように固定側把持面２３には一対のガイド材２４、２４が形成される。ガイド材２４、２４は固定側把持面２３の口幅の両端側に、被把持片６２の幅寸法より僅かに広い間隔をあけて、口幅の垂直方向にわたって突出形成されている。すなわち、ガイド材２４、２４の間隔は、被把持片６２の幅寸法がガイド材２４、２４の間に収まり、且つ被把持片６２が締め付けボルト６３を軸に回転する方向にずれたときに、被把持片６２の側面がガイド材２４、２４に当接することで、それ以上回転することを止めることができるように被把持片６２の大きさより若干の遊びを持たせた間隔で形成されている。ガイド材２４、２４の突出寸法は、被把持片６２の厚み寸法よりも僅かに小さく形成されている。
【００３１】
さらに固定側把持面２３には、口幅方向に延びる複数の刻み目が形成されている。この刻み目は被把持片６２を把持したときに、被把持片６２に形成された刻み目６６、６６、・・・と噛みあわさり、ずれにくくするものである。
【００３２】
図５に示すように、固定片２２の先端には板状の突起部２５が突出して形成されている。突起部２５は図８に示す引下線用コネクタ６のコネクタ本体下部６７に当接させ、引下線用コネクタ６の被把持片６２以外を固定側把持面２３と可動側把持面３１とで挟まないようにするストッパである。突起部２５の口幅寸法は固定片２２の口幅の３分の１程度の寸法に形成される。突起部２５の突出寸法は引下線用コネクタ６のコネクタ本体下部６７に当接したときに、所定の十分な把持面積を確保できる寸法で、且つ、可動部３０を閉じた時に引下線用コネクタ６の弾性材６４等を挟み込まない寸法に形成される。突起部２５の厚み寸法は固定片２２の厚み寸法より小さくなっていて、固定片２２の固定側把持面２３の反対側面から面一に延びている。
【００３３】
図１に示すように、本体２１には、軸孔４０、４０が対向して２カ所設けられている。この軸孔４０、４０は後述する可動部３０を支持するためのものである。軸孔４０、４０は、本体２１の固定片２２下端部の口幅側両端からそれぞれ延びる板材に形成されている。
【００３４】
本体２１には、固定片２２の反対側の下端部に絶縁操作棒９０の連結部９４が挿入可能な空間があけられていて、絶縁操作棒９０に取り付けることができるようになっている。本体２１には係合溝２６が形成されている。係合溝２６は本体２１の下端面から所定の長さだけ軸心に沿って上方に延び、次に本体２１の円周方向に直角に曲がってさらに延び、そして下端側向かって直角に曲がり、所定の長さだけ軸心に沿って下方に延びた略鉤字状に形成される。係合溝２６は、絶縁操作棒の連結部９４の係突起９４ｂが進入可能な幅に形成されている。係突起９４ｂが係合溝２６に終端まで係合され、絶縁操作棒９０の固定用ネジ９５で本体２１を押圧すると、係突起９４ｂが係合溝２６の終端に押さえつけられ、絶縁操作棒９０に対して軸心回りにも軸方向にもほとんどガタなく取り付けられるようになっている。
【００３５】
可動部３０は側面視で略扇形状の鋼材からなり、可動側把持面３１と、押圧面３２を有する。
【００３６】
可動側把持面３１は、被把持片６２と当接する面であり、口幅寸法が被把持片６２の幅寸法とほぼ同寸法に形成されていて、可動側把持面３１には、固定側把持面２３と同様に刻み目が形成されている。押圧面３２は、可動側把持面３１の反対側の面である。
【００３７】
可動部３０の略扇形状の要に位置する部分には軸部４１、４１が形成される。軸部４１は本体２１に設けられた軸孔４０、４０に支持できるよう、軸孔４０、４０に対応する形状に形成されていて、該軸部４１、４１が本体２１に形成された軸孔４０、４０に軸支されることで、可動部３０の可動側把持面３１が固定片２２の固定側把持面２３に接近したり離れたりすることが可能なように、すなわち可動部３０が軸孔４０を軸に回動自在に支持され、可動部３０が回動することで、可動側把持面３１と固定側把持面２３が開閉可能になっている。
【００３８】
さらに可動部３０は、被把持片６２を固定片２２の固定側把持面２３と可動部３０の可動側把持面３１で挟み込んで把持したときに、固定側把持面２３と、可動側把持面３１とが平行になるように支持されている。すなわち、図１（ａ）に示す状態のように、可動側把持面３１が閉じられて固定側把持面２３と可動側把持面３１とが引下線用コネクタ６の被把持片６２の厚さ方向の寸法にまで接近したときに、固定側把持面２３と可動側把持面３１は平行になる。このことによって被把持片６２を把持したときに、固定側把持面２３および可動側把持面３１がむらなく被把持片６２に当接して強固に把持できるようになっている。
【００３９】
図１（ｂ）で示すように、固定側把持面２３と可動側把持面３１との間の回動軸付近には、バネ４２が配設されている。バネ４２は針金をバネ状に形成した弾性体で、可動部３０に対して外部から閉じる力が加わらない限り常に開くように付勢を与えるものである。これによって可動部３０の押圧面３２に対して押圧する力を加えないと、可動部３０は可動側把持面３１が開く状態となっている。
【００４０】
送りネジ部５０は、可動部３０の押圧面３２を押圧する手段であって、支持材５１と、取り付け部５３と雄ネジ材５４とからなる。
【００４１】
図１および図３に示すように、支持材５１は固定部２０の本体２１の可動部３０が支持されている側に配置、固定され、本体２１と一体となっている。支持材５１には、後述する雄ネジ材５４を螺合可能な雌ネジ孔５２が可動部３０の押圧面３２に向かって貫通して形成されている。
【００４２】
取り付け部５３は円柱形状であり、軽量化のため主としてアルミニウムで形成されている。円柱形状の天面側には取り付け部５３の軸心線上に延びる雄ネジ材５４が配設される。一方の端部側には絶縁操作棒９０の連結部９４が挿入可能な空間があけられており、さらに取り付け部５３には係合溝５６が形成されていて、固定部２０の本体２１と同様に絶縁操作棒９０の連結部９４に取り付け可能となっている。
【００４３】
雄ネジ材５４は、円柱状の鋼材からなり、外周面に支持材５１に設けられた雌ネジ孔５２に螺合するネジ山が形成されている。ネジ山の断面形状は台形形状の、いわゆる台形ネジとなっている。雄ネジ材５４は、支持材５１に形成された雌ネジ孔５２を貫通した状態まで螺合される。支持材５１を貫通した雄ネジ材５４の先端付近には、雄ネジ材５４が支持材５１から抜けて、落下することがないように、リング状の抜け止め５５が雄ネジ材５４を挿通させた状態で配置固定されている。
【００４４】
つぎに、この引下線用コネクタ把持工具１を用いた作業および作用について説明する。引下線用コネクタ把持工具１は、前述のとおり、固定部２０の本体２１に絶縁操作棒９０ａが取り付けられされ、送りネジ部５０の取り付け部５３に絶縁操作棒９０ｂがそれぞれ取り付けられる。
【００４５】
まず本体２１に取り付けた絶縁操作棒９０ａを操作して、被把持片６２を固定側把持面２３に形成されたガイド材２４、２４の間に収めて、固定片２２の先端に形成された突起部２５を引下線用コネクタ６のコネクタ本体下部６７に当接させ、そして被把持片６２を固定側把持面２３に当接させる。
【００４６】
つぎに、取り付け部５３に取り付けた絶縁操作棒９０ｂを先端方向に向かって軸心周りで時計周りに回転させると、雄ネジ材５４も共に回転し、可動部３０方向に送りだされる。雄ネジ材５４の先端が可動部３０の押圧面３２に当接し、さらに雄ネジ材５４が可動部３０側に送り出されると、雄ネジ材５４が押圧面３２を押していって、可動部３０は軸部４１を支点に回動し、可動側把持面３１が固定側把持面２３に接近する方向に閉じていく。
【００４７】
被把持片６２が固定側把持面２３と可動側把持面３１とに挟みこまれた状態で固定側把持面２３、可動側把持面３１および被把持片６２の被把持面は平行に重なり、これによって被把持片６２は引下線用コネクタ把持工具１によって把持される。さらに、絶縁操作棒９０ｂを先端方向に向かって軸心周りで時計回りに締めこむことで、雄ネジ材５４がより強固に押圧面３２を押さえ、強い力で被把持片６２を把持する。この時、固定側把持面２３と可動側把持面３１に形成された刻み目が、被把持片６２に形成された刻み目６６とかみ合い、把持した被把持片６２がずれにくいようになっている。
【００４８】
ここで被把持片６２を把持して、引下線用コネクタ６の締め付けボルト６３をトルクラチェットレンチＲで締め付ける際に、前述の雄ネジ材５４による締め込みによって強い力で把持し、さらに刻み目がかみ合うことでずれにくくなっていても、引下線用コネクタ６が締め付けボルト６３を軸にした回転方向にずれることがある。そのときに固定側把持面２３に形成されたガイド材２４、２４に、被把持片６２の側面が当接し、それ以上回転しないようにずれを止めることができる。
【００４９】
被把持片６２の把持を解除する場合は、取り付け部５３に取り付けた絶縁操作棒９０ｂを、先端方向に向かって反時計回りに回転させることで、可動部３０側に送り出されていた雄ネジ材５４が、手元側に戻っていき、押圧面３２に対して与えていた力が緩まって、被把持片６２の把持を解除することができる。さらに絶縁操作棒９０ｂを、反時計回りに回転させると雄ネジ材５４の先端が押圧面３２から離れる。そうすると固定側把持面２３と可動側把持面３１の間に配設されたバネ４２が、可動部３０が開く方向に付勢を与えているので、固定側把持面２３と可動側把持面３１との距離が離れる方向に可動部３０が開く。
【００５０】
図６は、この引下線用コネクタ把持工具１を使用した引下線用コネクタ６の締め付けボルト６３を締め付ける作業を説明する図である。図６に示すように、間接活線作業用の工具であるトングＴ、トルクラチェットレンチＲおよび引下線用コネクタ把持工具１に絶縁操作棒９０が取り付けられる。そしてトングＴによって高圧線７０と引下線８０とが垂れ下がらないように把持され、引下線用コネクタ把持工具１が引下線用コネクタ６を把持した状態で、トルクラチェットレンチＲによって、引下線用コネクタ６の締め付けボルト６３が締め付けられる。
【００５１】
このような引下線用コネクタ把持工具１によれば、本体２１に取り付けた絶縁操作棒９０ａを操作して、固定側把持面２３を被把持片６２にあわせ、取り付け部５３に接続した絶縁操作棒９０ｂを回転させて雄ネジ材５４によって押圧面３２を押して可動部３０を閉じることで、引下線用コネクタ６を素早く把持することが可能となる。また、雄ネジ材５４によって強固に押圧面３２を押さえつけることができ、固定側把持面２３と可動側把持面３１とで被把持片６２を強固に挟み込んで把持することができる。さらに、固定側把持面２３と可動側把持面３１に形成された刻み目が被把持片６２に形成された刻み目６６とかみ合うことでずれにくく、たとえ引下線用コネクタ６の締め付けボルト６３を締め付けた際に、把持していた被把持片６２がずれても固定側把持面２３に形成されているガイド材２４、２４に被把持片６２の側面が当接することで、それ以上引下線用コネクタ６が回転することを防ぐことが可能となる。このことによって適正なトルクで締め付けボルト６３を締め付けても、高圧線７０や引下線８０にダメージを与えることなく作業ができる。
【００５２】
また、被把持片６２を強固に把持できることによって、図９に示す従来のヤットコＰを用いた作業に比較すると、締め付けの際に高圧線７０が曲がるのを抑えていたクイックＱが不要となり、作業の効率化が図れる。高圧線７０が下がってくるおそれがない場合にあっては、さらにトングＴの使用を省略することも可能であり、その場合にはさらに作業効率が向上し、作業時間の短縮ができる。
【００５３】
可動部３０にはバネ４２によって開く方向に付勢が付けられていることで、開いた状態の時に可動部３０が閉じた位置で留まることがないため、可動部３０が閉じた状態で留まり、被把持片６２を挟みこむ前に手で可動部３０を開かなければならない状態となって作業効率が低下することを防ぐ。さらには、突起部２５が引下線用コネクタ６のコネクタ本体下部６７に当接したときに、被把持片６２を挟み込んで把持する十分の範囲を挟み込み、且つ、引下線用コネクタ６の弾性材６４等他の部材を挟み込まない位置になることで、弾性材６４等を挟み込んで損傷させることを防ぎながら、十分な把持範囲を確保することができる。そのことにより、作業者の熟練度に左右されることなく、容易に被把持片６２の適切な範囲を挟み込むことができる。
【００５４】
以上、この発明の実施の形態を詳述してきたが、具体的な構成はこの実施の形態に限られるものではなく、この発明の要旨を逸脱しない範囲の設計の変更等があっても、この発明に含まれる。この実施の形態では、可動部３０は、可動部３０に形成された軸部４１、４１が、本体２１に設けられた軸孔４０、４０に軸支して回動可能に支持しているが、例えば可動部３０に軸孔を設けて、本体２１に設けられた軸孔４０、４０にあわせて軸材を貫通させて支持してもよい。
【符号の説明】
【００５５】
１      引下線用コネクタ把持工具
２０    固定部
２１    本体
２２    固定片
２３    固定側把持面（固定側把持部）
２４    ガイド材
２５    突起部
３０    可動部
３１    可動側把持面（可動側把持部）
３２    押圧面（押圧部）
４０    軸孔
４１    軸部
４２    バネ
５０    送りネジ部
５１    支持材
５２    雌ネジ孔
５３    取り付け部
５４    雄ネジ材
６      引下線用コネクタ
６１    コネクタ本体
６２    被把持片
６３    締め付けボルト
６７    コネクタ本体下部
７０    高圧線
８０    引下線
９０    絶縁操作棒
９０ａ  絶縁操作棒
９０ｂ  絶縁操作棒
【図１】
2020178395.tif 000003
【図２】
2020178395.tif 000004
【図３】
2020178395.tif 000005
【図４】
2020178395.tif 000006
【図５】
2020178395.tif 000007
【図６】
2020178395.tif 000008
【図７】
2020178395.tif 000009
【図８】
2020178395.tif 000010
【図９】
2020178395.tif 000011